(57)【要約】【課題】まぶしさを軽減させつつ文字の読みやすさの低下を抑えることが可能な照明装置を提供する。【解決手段】照明装置１０は、ＬＥＤ素子２１ａを有する白色光源２１と、光調整部とを備える。光調整部は、前記白色光源２１から出射される光のうちで少なくとも４７０ｎｍ以下の波長を減ずる減光部としてのバンドパスフィルタ２３と４８０〜４８５ｎｍの範囲に発光ピークを有する光付加部としてのＬＥＤ素子２２とを有する。【選択図】図１
2014017144.tif 000002
【特許請求の範囲】
【請求項１】
ＬＥＤ素子を有する白色光源と、
前記白色光源から出射される光のうちで少なくとも４７０ｎｍ以下の波長を減ずる減光部と４８０〜４８５ｎｍの範囲に発光ピークを有する光付加部とを有する光調整部と、
を備えたことを特徴とする照明装置。
【請求項２】
請求項１に記載の照明装置において、
前記減光部は、少なくとも４７０ｎｍ以下の波長を減ずるバンドパスフィルタであることを特徴とする照明装置。
【請求項３】
請求項１に記載の照明装置において、
前記光調整部は、前記白色光源から出射される光のうちで４７０ｎｍ以下の光を吸収して４８０ｎｍ〜４８５ｎｍの範囲に発光ピークを有する波長変換蛍光体であることを特徴とする照明装置。
【請求項４】
請求項１〜３のいずれか一項に記載の照明装置において、
前記白色光源は、前記ＬＥＤ素子と蛍光体とを備え、
前記白色光源のＬＥＤ素子は青色ＬＥＤ素子であり、前記白色光源の蛍光体は黄色蛍光体であることを特徴とする照明装置。
【請求項５】
請求項１〜３のいずれか一項に記載の照明装置において、
前記白色光源は、前記ＬＥＤ素子と蛍光体とを備え、
前記白色光源のＬＥＤ素子は紫外線ＬＥＤ素子であり、前記白色光源の蛍光体は前記紫外線ＬＥＤの光を受けて合成光が白色光となるように励起される蛍光体であることを特徴とする照明装置。
【発明の詳細な説明】
【技術分野】
【０００１】
本発明は、照明装置に関するものである。
【背景技術】
【０００２】
近年、発光ダイオード（以下、ＬＥＤ）は、白熱灯や蛍光灯と比較して省電力化に寄与できるため、照明器具等の光源として採用されている（例えば特許文献１参照）。
【先行技術文献】
【特許文献】
【０００３】
【特許文献１】特開２０１１−６６３１４号公報
【発明の概要】
【発明が解決しようとする課題】
【０００４】
ところで、人は加齢とともに水晶体が白濁することがあり、外部から眼球内に入った光は、水晶体内で散乱する眼球内散乱が発生し、その結果、まぶしく感じたり、文字が読みにくくなったりする。この眼球内散乱は、短波長成分の多い光ほど発生しやすく、その影響度（散乱強度）は光の波長の４乗に反比例する（レイリー散乱）。
【０００５】
人が感じる明るさは、光源から発生した光の物理エネルギー強度に分光視感効率を乗じた値となる。ここで、分光視感効率は５５５ｎｍで最大となる曲線であり、４７０ｎｍ以下では５５５ｎｍの１０％以下の効率しかない。すなわち、４７０ｎｍ以下の光を減じても人が感じる明るさへの影響は薄いことと言える。
【０００６】
そこで、例えば４７０ｎｍ以下の比較的短波長の光を抑える手段として、サングラスのように短波長成分の光を抑えるカラーフィルタを用いる方法が考えられる。しかしながら、白色光源の光のうちで単純に短波長成分の光を減光させると、光源の光色が白色から黄色っぽい光となってしまい、文字等が読みにくくなる虞がある。
【０００７】
本発明は、上記課題を解決するためになされたものであって、その目的は、まぶしさを軽減させつつ文字の読みやすさの低下を抑えることが可能な照明装置を提供することにある。
【課題を解決するための手段】
【０００８】
上記課題を解決するために、本発明の照明装置は、ＬＥＤ素子を有する白色光源と、前記白色光源から出射される光のうちで少なくとも４７０ｎｍ以下の波長を減ずる減光部と４８０〜４８５ｎｍの範囲に発光ピークを有する光付加部とを有する光調整部と、を備えたことを特徴とする。
【０００９】
また上記構成において、前記減光部は、少なくとも４７０ｎｍ以下の波長を減ずるバンドパスフィルタであることが好ましい。
また上記構成において、前記光調整部は、前記白色光源から出射される光のうちで４７０ｎｍ以下の光を吸収して４８０ｎｍ〜４８５ｎｍの範囲に発光ピークを有する波長変換蛍光体であることが好ましい。
【００１０】
また上記構成において、前記白色光源は、前記ＬＥＤ素子と蛍光体とを備え、前記白色光源のＬＥＤ素子は青色ＬＥＤ素子であり、前記白色光源の蛍光体は黄色蛍光体であることが好ましい。
【００１１】
また上記構成において、前記白色光源は、前記ＬＥＤ素子と蛍光体とを備え、前記白色光源のＬＥＤ素子は紫外線ＬＥＤ素子であり、前記白色光源の蛍光体は前記紫外線ＬＥＤの光を受けて合成光が白色光となるように励起される蛍光体であることが好ましい。
【発明の効果】
【００１２】
本発明によれば、まぶしさを軽減させつつ文字の読みやすさの低下を抑えることが可能な照明装置を提供する照明装置を提供することができる。
【図面の簡単な説明】
【００１３】
【図１】実施形態における照明装置の概略構成図である。
【図２】実施形態の照明装置のスペクトルと比較例の照明装置のスペクトルの特性図である。
【図３】バンドパスフィルタの特性図である。
【図４】比較例と実施形態の色偏差Ｄｕｖ及び白さ感について説明するための説明図である。
【図５】別例における照明装置の概略構成図である。
【発明を実施するための形態】
【００１４】
（第１実施形態）
以下、照明装置の第１実施形態を図面に従って説明する。
図１に示すように、本実施形態の照明装置１０は、発光部１１と、この発光部１１を点灯させるための点灯回路１２とを備えている。
【００１５】
図１に示すように、発光部１１は、前記点灯回路１２と電気的に接続されるＬＥＤ素子２１ａと、このＬＥＤ素子２１ａと所定の空隙を設けた状態でＬＥＤ素子２１ａの光を受けて略黄色（黄緑）に発光する蛍光体２１ｂとを有する白色光源２１を有する。ＬＥＤ素子２１ａは、青色ＬＥＤ素子であり、略４５０ｎｍに発光強度が最大となるピーク波長を有する。蛍光体２１ｂは、前記ＬＥＤ素子２１ａの光を受けて略５５５ｎｍに発光強度が最大となるピーク波長を有する。
【００１６】
図１に示すように、発光部１１は、前記白色光源２１に加えて４８０〜４８０ｎｍの範囲に発光強度が最大となるピーク波長を有するＬＥＤ素子２２を備える。このＬＥＤ素子２２は、前記点灯回路１２と電気的に接続される。ＬＥＤ素子２２は、窒化ガリウム系ＬＥＤであるＩｎＧａＮ系ＬＥＤを採用することができる。
【００１７】
図１に示すように、発光部１１の前方には、４７０ｎｍ以下の波長を減ずるバンドパスフィルタ２３を備える。バンドパスフィルタ２３は、図３に示すように、可視光領域のうちで４７０ｎｍ以下の波長の光を平均７５％まで減ずる、即ち平均透過率が７５％のバンドパスフィルタである。このようなバンドパスフィルタ２３としては、例えば光透過率の高いガラスやアクリルなどにＩＴＯ（酸化インジウムスズ）を塗布したものを採用することができる。
【００１８】
次に、本実施形態の照明装置１０の作用を記載する。
上記のように構成された照明装置１０では、点灯回路１２からＬＥＤ素子２１ａ及びＬＥＤ素子２２に電力供給がなされて、ＬＥＤ素子２１ａが紫に近い青色に点灯し、ＬＥＤ素子２２が緑に近い青色に点灯する。このとき、ＬＥＤ素子２１ａの光を受けて蛍光体２１ｂは励起されて黄色の光を発する。各ＬＥＤ素子２１ａ，２２及び蛍光体２１ｂから発せられた光は、バンドパスフィルタ２３により４７０ｎｍ以下の光（可視光）が７５％まで減少される。そして、照明装置１０は、前述の各光が合成されて合成光として、図２において実線で示すようなスペクトル特性を有する光が照射される。
【００１９】
ここで、図４に示すように一般的な白色のＬＥＤ（前記白色光源２１と略同一の構成）である場合、黒体放射軌跡からのずれを表す色偏差Ｄｕｖが２程度で、白さ感の値が１１．０程度となる。そして、前述のようにバンドパスフィルタ２３を用いて４７０ｎｍ以下の光を７５％まで低下させると、白さ感の値が１２．５程度と大きなってしまい、白さ感が損なわれてしまう。そこで、本実施形態のように４８０〜４８５ｎｍの範囲にピーク波長を有するＬＥＤ素子２２を付加することで、白さ感の値を１０．４程度として白さ感を一般的な白色のＬＥＤとされる。
【００２０】
次に、本実施形態の効果を記載する。
（１）本実施形態の照明装置１０は、ＬＥＤ素子２１ａを有する白色光源２１と、光調整部とを備える。光調整部は、前記白色光源２１から出射される光のうちで少なくとも４７０ｎｍ以下の波長を減ずる減光部としてのバンドパスフィルタ２３と４８０〜４８５ｎｍの範囲に発光ピークを有する光付加部としてのＬＥＤ素子２２とを有する。
【００２１】
（２）本実施形態では、少なくとも４７０ｎｍ以下の波長を減ずるバンドパスフィルタ２３を採用して、比較的簡素に減光部を構成することが可能となる。
（３）白色光源２１は、前記ＬＥＤ素子２１ａと蛍光体２１ｂとを備え、白色光源２１のＬＥＤ素子２１ａは青色ＬＥＤ素子であり、白色光源２１の蛍光体２１ｂは黄色蛍光体である。このような構成とすることで、例えば青色ＬＥＤ素子と緑色ＬＥＤ素子と赤色ＬＥＤ素子とを備えた白色光源よりも簡素な構成とすることができる。また、前述のような構成とすることで、例えば青色ＬＥＤ素子に加えて緑色蛍光体と赤色蛍光体とを付加する構成と比較して簡素な構成とすることができる。
【００２２】
尚、本発明の実施形態は、以下のように変更してもよい。
・上記実施形態では、バンドパスフィルタ２３とＬＥＤ素子２２とで光調整部を構成したがこれに限らない。例えば図５に示すように、白色光源２１の前方（照射面側）に、白色光源２１から出射される光のうちで４７０ｎｍ以下の光を吸収して４８０ｎｍ〜４８５ｎｍの範囲に発光強度が最大となるピーク波長を有する光を発する波長変換蛍光体３１を光調整部として採用してもよい。このような波長変換蛍光体３１としては例えばシリケート系の蛍光体を採用することができる。このような構成とすることで、例えばバンドパスフィルタ２３によって減光していた光を有効に利用することができるため、発光効率の向上に寄与することができる。
【００２３】
・上記実施形態では、青色の光を発するＬＥＤ素子２１ａと、このＬＥＤ素子２１ａの光によって励起されて黄色の光を発する蛍光体２１ｂとで白色光源２１を構成したが、これに限らない。
【００２４】
例えば、白色光源２１のＬＥＤ素子として青色よりも短波長の光を発する紫外線ＬＥＤ素子を採用し、白色光源２１の蛍光体として前記紫外線ＬＥＤ素子によって合成光が白色光となるように励起される青色蛍光体及び黄色蛍光体を採用してもよい。また、白色光源２１の蛍光体としては、赤色蛍光体、緑色蛍光体及び青色蛍光体を採用して合成光が白色光となるように励起される構成としてもよい。このように、不可視光の紫外線を用いることで青色の光をＬＥＤではなく蛍光体によって再現することが可能となるため、演色性や色温度の設定をより自由に設定できるため、設計の自由度を高めることができる。
【００２５】
・上記実施形態では、１つのバンドパスフィルタ２３にて減光部を構成したが、複数のバンドパスフィルタを組み合わせて減光部を構成してもよい。
・上記実施形態では、３８０〜４７０ｎｍの範囲における平均透過率を７５％のバンドパスフィルタを用いる構成としたが、その平均透過率は特に限らない。
【００２６】
・上記実施形態では、ピーク波長が略４５０ｎｍで青色に発光するＬＥＤ素子２１ａを用いる構成としたが、ＬＥＤ素子２１ａのピーク波長を例えば４４０ｎｍや４６０ｎｍに変更してもよい。また、蛍光体２１ｂのピーク波長を５５５ｎｍとしたが、ピーク波長はこれに限らず例えば５５０ｎｍや５６０ｎｍに変更してもよい。
【００２７】
・上記実施形態では、白色光源２１として１つのＬＥＤ素子２１ａと１つの蛍光体２１ｂとで構成したが、その数は任意に変更してもよい。また、単純に白色光源２１を複数設ける構成を採用してもよい。
【符号の説明】
【００２８】
１０…照明装置、２１…白色光源、２１ａ…白色光源を構成するＬＥＤ素子、２１ｂ…白色光源を構成する蛍光体、２２…光付加部としてのＬＥＤ素子、２３…減光部としてのバンドパスフィルタ、３１…光調整部としての波長変換蛍光体。
【図１】
2014017144.tif 000003
【図２】
2014017144.tif 000004
【図３】
2014017144.tif 000005
【図４】
2014017144.tif 000006
【図５】
2014017144.tif 000007